(57)【要約】【課題】  例えばコンドーム包装袋などの板状ないしカード状の物品を被収納物として複数収納でき、また容易に取り出すことができる包装箱を提供する。【解決手段】  本発明の包装箱は、複数の面で形成された多面体からなり、当該複数の面のうちの少なくとも一面が部分的に又は全面にわたり開口し、前記開口を形成する一端辺から延びる蓋部が当該開口を覆い隠すように構成されており、当該蓋部の内面には被収納物をそれぞれ個別に収納可能な複数の収納ポケット群を有する収納部が設けられてなることを特徴とする。収納ポケット群は、帯状シートをその長さ方向に直交する方向にジグザグに折り曲げ交互に山谷を形成した少なくとも１つの紙製又はプラスチック製の蛇腹状体によって形成することができる。【選択図】        図１
2017186050.tif 000002
【特許請求の範囲】
【請求項１】
複数の面で形成された多面体からなり、当該複数の面のうちの少なくとも一面が部分的に又は全面にわたり開口し、前記開口を形成する一端辺から延びる蓋部が当該開口を覆い隠すように構成されており、
当該蓋部の内面には被収納物をそれぞれ個別に収納可能な複数の収納ポケット群を有する収納部が設けられてなることを特徴とする包装箱。
【請求項２】
前記収納ポケット群は、帯状シートをその長さ方向に直交する方向にジグザグに折り曲げ交互に山谷を形成した少なくとも１つの蛇腹状体によって形成されてなる請求項１に記載の包装箱。
【請求項３】
前記収納ポケット群は、前記蛇腹状体を前記収納部における前記被収納物の挿入口側の端部とは反対側の端部に当該蛇腹状体のＶ字谷を当該挿入口に向けて配置したものである請求項２に記載の包装箱。
【請求項４】
前記収納ポケット群は、前記収納部に収納される被収納物を両側から挟むように、かつそれぞれのＶ字谷を互いに対向するように配置された１対の蛇腹状体によって形成されてなる請求項２に記載の包装箱。
【請求項５】
前記収納ポケット群は紙製又はプラスチック製である請求項２〜４のいずれか１項に記載の包装箱。
【請求項６】
前記蓋部は、前記一端辺寄りにおいて前記収納部における前記被収納物の挿入方向に直交する方向に設けられた折れ目より折り曲げ可能とされており、当該折れ目から前記蓋部の前記一端辺とは反対側を外側に折り曲げることで前記収納部は起立するように構成されてなる請求項１〜５のいずれか１項に記載の包装箱。
【発明の詳細な説明】
【技術分野】
【０００１】
本発明は、板状ないしカード状の物品を被収納物として複数収納でき、また容易に取り出し可能であり、高い意匠性を備えた携帯容易な包装箱に関する。
【背景技術】
【０００２】
多くの種類の板状ないしカード状の物品が種々の包装パッケージに収納された状態で市販されている。例えば円形扁平状のコンドームを各１個収納する略正方形の平面の板状の包装袋の場合、これを複数個積み重ねて紙製の包装箱に収納した状態でコンビニエンスストアやディスカウントストアで販売されている。特にコンビニエンスストアでは開店している限りいつでも購入できる反面、多くのコンドーム購入者が購入時には恥ずかしさや後ろめたさなどを抱き、ためらいがちになるということが言われている。特に最近は男女のカップルのうち、女性が購入する場合が多く、多くの女性が一見してコンドームを収納するものであることが明らかな包装箱を購入する際に気恥ずかしさや抵抗を覚えるととともに、携帯の際にこの包装箱が人目につくのを嫌う傾向がある。
【０００３】
このような問題を解決すべく、例えば特許文献１が提案されている。この文献記載の考案は、携帯容易な小型の菓子とコンドームとを一体的に収容した包装箱に関するものであり、これによりコンドームを購入しやすい形態で提供し、コンドームの普及や携帯の促進を図ることを目的とするものである。しかしながら、このような包装箱の場合、菓子とコンドームとでは必要とする年齢層が異なるため、どちらかが不要となるケースも生じ得る。
【０００４】
また別の提案として、特許文献２が挙げられる。特許文献２は、２つのコンドームをそれぞれ縦長状に個別に収納した収納袋を扁平状のカード型大のパッケージに収容する包装形態を提案する。この包装形態であれば、外面に適宜の印刷模様を施しているので携帯に際して何ら抵抗感はない。しかし、当該パッケージからのコンドーム収納袋を取り出す際に、折り返された折り返し片を引き上げた状態を保持しながら、狭い開口からコンドーム収納袋を引っ張り出す必要があり、取り出しが容易とはいえないという問題がある。
【先行技術文献】
【特許文献】
【０００５】
【特許文献１】実用新案登録第３０８８１４３号明細書
【特許文献２】実開平３−６７６１５号公報
【発明の概要】
【発明が解決しようとする課題】
【０００６】
本発明は、前記課題に鑑みなされたものであり、その目的は、例えばコンドーム包装袋などの板状ないしカード状の物品を被収納物として複数収納でき、また容易に取り出すことができる包装箱を提供することにある。
【課題を解決するための手段】
【０００７】
前記目的は、本発明によれば、複数の面で形成された多面体からなり、当該複数の面のうちの少なくとも一面が部分的に又は全面にわたり開口し、前記開口を形成する一端辺から延びる蓋部が当該開口を覆い隠すように構成されており、当該蓋部の内面には被収納物をそれぞれ個別に収納可能な複数の収納ポケット群を有する収納部が設けられてなることを特徴とする包装箱によって達成される。
【０００８】
前記収納ポケット群は、帯状シートをその長さ方向に直交する方向にジグザグに折り曲げ交互に山谷を形成した少なくとも１つの蛇腹状体によって形成することができる。前記収納ポケット群は紙又はプラスチックで形成されていることが好ましい。
【０００９】
前記蓋部は、前記一端辺寄りにおいて前記収納部における前記被収納物の挿入方向に直交する方向に設けられた折れ目より折り曲げ可能とされており、当該折れ目から前記蓋部の前記一端辺とは反対側を外側に折り曲げることで前記収納部は起立するように構成できる。
【発明の効果】
【００１０】
本発明は、包装箱の蓋部内面に複数の収納ポケット群を有する収納部を設けることにしたので、例えばコンドーム包装袋などの被収納物を複数収納でき、また容易に取り出し可能である。
【図面の簡単な説明】
【００１１】
【図１】本発明の包装箱の第１実施形態を示す説明図である。
【図２】図１に示す包装箱の展開図である。
【図３】図１に示す包装箱内の収納部の一例を示す展開図である。
【図４】図１に示す包装箱の収納部に非収納物を収めた状態を模式的に示す斜視図である。
【図５】本発明の包装箱における収納部の別の例を示す側面図である。
【図６】本発明の包装箱の実施形態のさらに別の例を示す斜視図である。
【図７】本発明の包装箱の実施形態のさらに別の例を示す図である。
【発明を実施するための形態】
【００１２】
以下、添付図面に基づいて、本発明の包装箱について詳細に説明する。なお、以下の各図に示す実施形態では、いずれも収納ポケットを３つ有する収納部を備えた包装箱を示すが、収納部における収納ポケット数は３つに限定されず、被収納物の大きさ及び包装箱の内容積に応じて２つでもよく４つ以上であってもよい。また、以下の各図において共通する各部については同一の符号を付し、特に必要な場合を除き、重複する説明は省略する。
【００１３】
図１は、本発明の包装箱の実施形態の一例を示す図であり、（ａ）はその斜視図、（ｂ）はその側面図である。この図に示す本実施形態の包装箱１は、上面１２、側面１１、１２ａ、１２ｂ、１４、底面１５などを備えた、幅及び奥行に比べ高さが小さい直方体状の包装箱本体１０からなる。包装箱本体１０のサイズについて特に限定されず、被収納物（詳細は後述する。）の形状や大きさ、包装箱本体１０の内容積（内容積に対するデッドスペースの割合）などを考慮して適宜決定できる。
【００１４】
図２は、図１に示す包装箱の展開図の一例を示している。この例に示す展開図に裁断した紙製シート又はプラスチック製シートを折り込み、所定箇所を糊付けすることで、図１に示す包装箱本体１０が得られる。なお、包装箱本体１０の素材としては紙やプラスチックに限定されず、裁断、折り曲げ及び接着が可能なシート状体であれば使用可能である。
【００１５】
具体的な包装箱本体１０の組み立て手順は以下の通りである。まず、側壁１４、１５ａ、１５ｂ、１６を同じ方向に折り曲げる。そうして、側壁１４及び１６の舌片１４ａ、１４ｂ、１６ａ、１６ｂを折り曲げ、これらを側壁１５ａ及び１５ｂの両端部の内面にそれぞれ接着する。こうすることで、側壁１４、１５ａ、１５ｂ、１６がそれぞれ底面１５の四周においてこれに垂直となる。さらに、上面１２を側壁１４の立設方向に垂直となるように折り曲げるとともに、上面１２から三方に延設されている側壁１１、１２ａ、１２ｂを折り曲げ、それぞれ側壁１５ａ、１５ｂ、１６に外側からこれらを覆うようにする。このとき、舌片１１ａ、１１ｂは、これらを折り曲げてそれぞれ側壁１２ａ、１２ｂの内面に接着する。また、側壁１１は、ミシン目１８の内側の摘み部分１３ａ及びこれに連続する拡幅部１３ｂを含む蓋部１３を除いて側壁１６の外面に接着する。かくして、複数の面を備えた直方体（多面体）として包装箱本体１０の組み立てが完了する。
【００１６】
包装箱本体１０において、その側面１１に配置される摘み部分１３ａを上方に向けて引っ張ることで、ミシン目１８に沿って摘み部分１３ａ、拡幅部１３ｂ、さらには上面１２の一部１３ｃが順次破断していき、これにより包装箱本体１０上面１２に開口とともに、当該開口を開閉可能な蓋部１３が形成される。この蓋部１３は、上面１２において蓋部１３ｃの破断し始める側の上端辺とは反対側の端辺まで破断可能とされ、当該反対側の端辺がヒンジの機能を果たし、蓋部１３は揺動可能とされている。
【００１７】
この蓋部１３（正確には上面の一部１３ｃ）の内面に、図１に示すように、収納部２０が形成されている。収納部２０は、帯状シートをその長さ方向に直交する方向にジグザグに折り曲げ交互にＶ字状の山谷を形成した１対の蛇腹状体２１ａ〜２１ｆ；２１ａ〜２１ｆを上面１３ｃの両側縁寄りにそれぞれ配置することで形成されている。収納部２０は、前記したように被収納物をそれぞれ個別に収納可能な３つの収納ポケット群Ｐ１、Ｐ２、Ｐ３（図４参照）を有している。
【００１８】
図３は、図１に示す包装箱が内部に備える収納部の展開図の一例を示している。この図を用いて、この収納部２０の組み立て手順を説明する。図３において、符号Ｇは接着剤の塗布部分を示している。蓋部１３の内面に接着される一端側の部分（収納部接着部）２１から他端側の２１ａまで一方向に延びる帯状シートをその延設方向に直交する方向に一定間隔ごとそれぞれＶ字状の山谷が交互に形成されるようにジグザグに折り曲げて面２１ａ〜２１ｆを得、一端側の部分（収納部接着部）２１ののりしろ２４を他端側の部分２１ａの自由端部に接着することで形成される。
【００１９】
このように帯状シートを折りたたんで収納部２０を組み立て、２つの蛇腹状体２１ａ〜２１ｆ；２１ａ〜２１ｆの蓋側から１番目のＶ字山２１ａ，２１ｂ；２１ａ、２１ｂ、２番麺のＶ字山２１ｃ、２１ｄ；２１ｃ、２１ｄ及び３番目のＶ字山２１ｅ、２１ｆ；２１ｅ，２１ｆをそれぞれ互いに対向させることで、収納ポケット中央部が開いた仕切り構造が形成される（図３参照。後述。）。他方、２つの蛇腹状体２１ａ〜２１ｆ；２１ａ〜２１ｆの蓋側から１番目のＶ字谷２１ｂ，２１ｃ；２１ｂ、２１ｃによって第１の収納ポケットＰ１が、また２番麺のＶ字谷２１ｄ、２１ｅ；２１ｄ、２１ｅによって第２の収納ポケットＰ２が、さらに３番目のＶ字谷２１ｆ、２２；２１ｆ，２２によって第３の収納ポケットＰ３がそれぞれ被収納物を収納可能に形成される（図４参照）。なお、収納部接着部２１と面２１ａ、２１ａとの間は、前者の略全面が蓋部１３ｃの内面に接着されており、厚目の被収納物をここに収納することが困難であるため、本実施形態では収納ポケットとして使用しないものとするが、ここも収納ポケットとして使用できることは言うまでもない。
【００２０】
図４は、図１に示す実施形態の包装箱１の収納部２０に被収納物Ｃとしてコンドーム包装袋を収納した状態を模式的に示している。このように、１対の蛇腹状体２１ａ〜２７ｆ；２１ａ〜２７ｆによって形成される収納ポケット群Ｐ１〜Ｐ３に各１個それぞれコンドーム包装袋Ｃ、Ｃ、Ｃが収納できるようになる。また、包装箱本体１０の外面には印刷などを施すことができる。これにより、高い意匠性を持たせることができ、女性が必要な数だけ収納して持ち歩き易く、人目に触れても恥ずかしさなどを覚えることがない。
【００２１】
図５は、本発明の包装箱の別の実施形態の例を示す図であり、（ａ）は側面図、（ｂ）は収納部の展開図の一例を示している。この図に示す実施形態は、図１に示すそれとは収納部２０における底面２５を設けることで、図１に示す実施形態の場合よりも相対的に厚みのある被収納物を収納可能にした点で相違しており、それ以外の部分については本質的に変わりはない。
【００２２】
図６は、本発明の包装箱のさらに別の実施形態の例を示す図であり、（ａ）は斜視図、（ｂ）は側面図を示している。この図に示す実施形態では、蓋部１３の一部１３ｃの付け根寄りに折れ目２６を設け、これより摘み部分１３ａ側を外側に折り曲げることで、収納部２０を略鉛直に起立させるようにした点で、図５に示すそれとは異なっており、それ以外の部分については両者は本質的に変わりがない。この場合、収納部２０は蓋部の一部１３ｄには接着しないようにしておく。このような構成とし折れ目２６から蓋部１３の摘み部分１３ａ側を外側に折り曲げ、収納部１３を包装箱本体１０の底面１５の上に起立させることで、さらに被収納物を取り出し易くなり使いやすさも向上する。
【００２３】
図７は、本発明の包装箱のさらに別の実施形態の例を示す図であり、（ａ）は斜視図、（ｂ）は側面図を示している。本実施形態では、蛇腹状体２７（２７ａ〜２７ｆ）を蓋部１３の摘み部分１３ａとは反対側の一端辺寄りに蛇腹状体２７のＶ字谷２７ａ、２７ｂ；２７ｃ、２７ｄ；２７ｅ、２７ｆのそれぞれを蓋部１３の摘み側１３ａに向けて配置し、蛇腹状体２７が蓋部１３から無制限に下方に向けて広がらないように拡がり防止帯２８を設けた点で、図１、図５及び図６に示したそれとは相違するが、それ以外の点では本質的に変わりはない。このような構成とすることで、前記各Ｖ字谷２７ａ、２７ｂ；２７ｃ、２７ｄ；２７ｅ、２７ｆを収納ポケット（Ｐ１〜Ｐ３）とすることができ、拡がり防止帯２８があることで、ある程度厚みのある被収納物を収納でき、それによっても収納部２０の挿入口側が大きく下側に拡がることがない。
【００２４】
以上説明したように、本発明の包装箱は、その蓋部の内面に複数の収納ポケット群を有する収納部を設けることにしたので、例えばコンドーム包装袋などの平板状の被収納物を複数収納でき、また容易に取り出し可能となる。特に、収納部を少なくとも１つの蛇腹状体を収納ポケット群として形成することで、安価かつ容易に収納部を形成できるので、包装箱自体の製造コストを抑えることができる。さらに、包装箱の外面に印刷などを施すことで、さらに意匠性の向上を図ることができ、仮に被収納物がコンドーム包装袋であっても。、女性が安心して携帯でき、人目も気にしなくても済むようになる利点もある。
【００２５】
なお、以上では、被収納物としてコンドーム包装袋を例にとり説明したが、被収納物はこれに限定されず、収納部２０の開口から挿入可能なサイズの平板状、カード状、シート状などの外形形状を備えたものであれば収納可能である。
【符号の説明】
【００２６】
１〜４・・・本発明の包装箱、  １０・・・包装箱本体、  １１、１２ａ、１２ｂ、１４・・・側面、  １２・・・上面、  １３・・・蓋部、  １３ａ・・・摘み部分、  １３ｂ・・・拡幅部、  １３ｃ・・・蓋部の一部（上面部）、  １５・・・底面、  ２０・・・収納部、  ２１・・・収納部接着部、  ２１ａ〜２７ｆ・・・蛇腹状体、  ２６・・・折り目、  ２７（２７ａ〜２７ｆ）・・・蛇腹状体、  ２８・・・拡がり防止帯
Ｇ・・・接着剤塗布部分、  Ｐ１、Ｐ２、Ｐ３・・・収納ポケット
【図１】
2017186050.tif 000003
【図２】
2017186050.tif 000004
【図３】
2017186050.tif 000005
【図４】
2017186050.tif 000006
【図５】
2017186050.tif 000007
【図６】
2017186050.tif 000008
【図７】
2017186050.tif 000009